(57)【特許請求の範囲】
【請求項１】
車両に装備される車両盗難防止装置において、
車両盗難の発生を検出する盗難発生検出手段からの信号に基づいて、前記車両の盗難が発生しているか否かを判断する第１の判断手段と、
該第１の判断手段により前記車両の盗難が発生していると判断された場合に、前記車両の位置情報を検出する位置情報検出手段から得られる情報に基づいて、前記車両が予め設定された盗難車両の早期発見を実現する地点の付近に存在するか否かを判断する第２の判断手段と、
該第２の判断手段により前記車両が前記地点の付近に存在すると判断された場合、前記車両が盗難車両であることを前記車両の周囲に知らせる告知を行う制御手段とを備え、
前記車両の盗難が発生していると判断された場合であっても、前記車両が前記地点の付近へ到達するまでは、前記告知を行わないようになっていることを特徴とする車両盗難防止装置。
【請求項２】
車両に装備される車両盗難防止装置において、
車両盗難の発生を検出する盗難発生検出手段からの信号に基づいて、前記車両の盗難が発生しているか否かを判断する第１の判断手段と、
該第１の判断手段により前記車両の盗難が発生していると判断された場合に、予め設定された盗難車両の早期発見を実現する地点の付近に設置された送信機から局所的に送信される車両制御コードを受信したか否かを判断する第２の判断手段と、
該第２の判断手段により前記車両制御コードを受信したと判断された場合、前記車両が盗難車両であることを前記車両の周囲に知らせる告知を行う制御手段とを備え、
前記車両の盗難が発生していると判断された場合であっても、前記車両が前記地点の付近へ到達するまでは、前記告知を行わないようになっていることを特徴とする車両盗難防止装置。
【請求項３】
車両に装備される車両盗難防止装置において、
公衆回線を介して送信されてくる、呼出識別情報を含んだ呼出信号を受信する受信手段からの信号に基づいて、予め設定された盗難発生コードを受信したか否かを判断する第１の判断手段と、
該第１の判断手段により前記盗難発生コードを受信したと判断された場合に、予め設定された盗難車両の早期発見を実現する地点の付近に設置された送信機から局所的に送信される車両制御コードを受信したか否かを判断する第２の判断手段と、
該第２の判断手段により前記車両制御コードを受信したと判断された場合、前記車両が盗難車両であることを前記車両の周囲に知らせる告知を行う制御手段とを備え、
前記車両の盗難が発生していると判断された場合であっても、前記車両が前記地点の付近へ到達するまでは、前記告知を行わないようになっていることを特徴とする車両盗難防止装置。
【請求項４】
車両に装備される車両盗難防止装置において、
公衆回線を介して送信されてくる、呼出識別情報を含んだ呼出信号を受信する受信手段からの信号に基づいて、予め設定された盗難発生コードを受信したか否かを判断する第１の判断手段と、
該第１の判断手段により前記盗難発生コードを受信したと判断された場合に、前記車両の位置情報を検出する位置情報検出手段から得られる情報に基づいて、前記車両が予め設定された盗難車両の早期発見を実現する地点の付近に存在するか否かを判断する第２の判断手段と、
該第２の判断手段により前記車両が前記地点の付近に存在すると判断された場合、前記車両が盗難車両であることを前記車両の周囲に知らせる制御を行う制御手段とを備え、
前記車両の盗難が発生していると判断された場合であっても、前記車両が前記地点の付近へ到達するまでは、前記告知を行わないようになっていることを特徴とする車両盗難防止装置。
【請求項５】
前記制御手段が、前記車両を停止させて、前記車両が盗難車両であることを前記車両の周囲に知らせるものであり、
前記制御手段による前記車両の停止が、前記車両の位置情報に基づいて、停止させることが好ましくない場所を避けて実行されることを特徴とする請求項１〜４のいずれかの項に記載の車両盗難防止装置。
【請求項６】
前記制御手段が、前記車両を停止させて、前記車両が盗難車両であることを前記車両の周囲に知らせるものであり、
前記制御手段による前記車両の停止が、前記車両の速度情報に基づいて、前記車両の速度を考慮に入れて実行されることを特徴とする請求項１〜５のいずれかの項に記載の車両盗難防止装置。
【請求項７】
車両に装備される車両盗難防止装置における車両盗難防止方法が、
車両盗難の発生を検出する盗難発生検出手段からの信号に基づいて、前記車両の盗難が発生しているか否かを判断するステップと、
前記車両の盗難が発生していると判断した場合に、前記車両の位置情報を検出する位置情報検出手段から得られる情報に基づいて、前記車両が予め設定された盗難車両の早期発見を実現する地点の付近に存在するか否かを判断するステップと、
前記車両が前記地点の付近に存在すると判断した場合、前記車両が盗難車両であることを前記車両の周囲に知らせる告知を行うステップとを有し、
前記車両の盗難が発生していると判断した場合であっても、前記車両が前記地点の付近へ到達するまでは、前記告知を行わないことを特徴とする車両盗難防止方法。
【請求項８】
車両に装備される車両盗難防止装置における車両盗難防止方法が、
車両盗難の発生を検出する盗難発生検出手段からの信号に基づいて、前記車両の盗難が発生しているか否かを判断するステップと、
前記車両の盗難が発生していると判断した場合に、予め設定された盗難車両の早期発見を実現する地点の付近に設置された送信機から局所的に送信される車両制御コードを受信したか否かを判断するステップと、
前記車両制御コードを受信したと判断した場合、前記車両が盗難車両であることを知らせる告知を行うステップとを有し、
前記車両の盗難が発生していると判断した場合であっても、前記車両が前記地点の付近へ到達するまでは、前記告知を行わないことを特徴とする車両盗難防止方法。
【請求項９】
車両に装備される車両盗難防止装置を構成する制御装置に、
車両盗難の発生を検出する盗難発生検出手段からの信号に基づいて、前記車両の盗難が発生しているか否かを判断する機能と、
前記車両の盗難が発生していると判断した場合に、前記車両の位置情報を検出する位置情報検出手段から得られる情報に基づいて、前記車両が予め設定された盗難車両の早期発見を実現する地点の付近に存在するか否かを判断する機能と、
前記車両が前記地点の付近に存在すると判断した場合、前記車両が盗難車両であることを前記車両の周囲に知らせる告知を行う機能とを実現させ、
前記車両の盗難が発生していると判断した場合であっても、前記車両が前記地点の付近へ到達するまでは、前記告知を行わせないことを特徴とする車両盗難防止プログラム。
【請求項１０】
車両に装備される車両盗難防止装置を構成する制御装置に、
車両盗難の発生を検出する盗難発生検出手段からの信号に基づいて、前記車両の盗難が発生しているか否かを判断する機能と、
前記車両の盗難が発生していると判断した場合に、予め設定された盗難車両の早期発見を実現する地点の付近に設置された送信機から局所的に送信される車両制御コードを受信したか否かを判断する機能と、
前記車両制御コードを受信したと判断した場合、前記車両が盗難車両であることを前記車両の周囲に知らせる告知を行う機能とを実現させ、
前記車両の盗難が発生していると判断した場合であっても、前記車両が前記地点の付近へ到達するまでは、前記告知を行わせないことを特徴とする車両盗難防止プログラム。
【発明の詳細な説明】
【０００１】
【発明の属する技術分野】
本発明は車両盗難防止装置、車両盗難防止方法、及び車両盗難防止プログラムに関し、より詳細には、盗難車両を所有者の元に無事に返還することのできる車両盗難防止装置、車両盗難防止方法、及び車両盗難防止プログラムに関する。
【０００２】
【従来の技術及び発明が解決しようとする課題】
日本では車両盗難、車中荒しなどの盗難事件は発生件数、発生率とも米国に比べて低いが増加の傾向にあり、社会問題となっている。そのため近年、車両盗難を防止するための車両盗難防止装置が種々考えられている。例えば、車両のドアロックが壊されたり、フロントウィンドガラス、リヤウィンドガラス、サイドウィンドガラスなどの窓ガラスが壊されたときに、サイレンなどの警報を鳴らしたり、ランプなどを光らせたりするものがある。
【０００３】
このように、警報を鳴らしたり、ランプを光らせたりすることで、車両盗難が行われていることを周囲に知らしめることができるので、被害を最小限度に抑えることが可能になるものと思われる。
【０００４】
しかしながら、周囲に誰もいなかったり、あるいは車両盗難を働こうとする者がサイレンが鳴っていることや、ランプが光っていることなどを全く気にしなければ、盗難防止の効果は何ら発揮されないこととなってしまう。
また、車両盗難というのは組織的に行われることが多く、そのため、盗難車両というのは非常に発見しにくい。従って、該車両が所有者の元に返還される確率は非常に低いのが現状と思われる。
【０００５】
本発明は上記課題に鑑みなされたものであって、もし仮に車両盗難が生じたとしても、盗難車両を早期に確保することのできる車両盗難防止装置、車両盗難防止方法、及び車両盗難防止プログラムを提供することを目的としている。
【０００６】
【課題を解決するための手段及びその効果】
上記目的を達成するために本発明に係る車両盗難防止装置（１）は、車両に装備される車両盗難防止装置において、車両盗難の発生を検出する盗難発生検出手段からの信号に基づいて、前記車両の盗難が発生しているか否かを判断する第１の判断手段と、該第１の判断手段により前記車両の盗難が発生していると判断された場合に、前記車両の位置情報を検出する位置情報検出手段から得られる情報に基づいて、前記車両が予め設定された盗難車両の早期発見を実現する地点の付近に存在するか否かを判断する第２の判断手段と、該第２の判断手段により前記車両が前記地点の付近に存在すると判断された場合、前記車両が盗難車両であることを前記車両の周囲に知らせる告知を行う制御手段とを備え、前記車両の盗難が発生していると判断された場合であっても、前記車両が前記地点の付近へ到達するまでは、前記告知を行わないようになっていることを特徴としている。
【０００７】
上記した車両盗難防止装置（１）によれば、車両盗難が発生しているときに、車両が予め設定された盗難車両の早期発見を実現する地点の付近（例えば、警察署の付近や、人の目につき易い場所など）に存在すると判断されると、前記車両が盗難車両であることを前記車両の周囲に知らせる制御（例えば、エンジンの停止や、ランプの点滅など）が行われる。
例えば、警察署の付近で盗難車両のエンジンを停止させることによって、警察官が前記盗難車両を容易に発見することができるようになるので、もし仮に車両盗難が生じたとしても、盗難車両を早期に確保することができる。
【０００８】
また、本発明に係る車両盗難防止装置（２）は、車両に装備される車両盗難防止装置において、車両盗難の発生を検出する盗難発生検出手段からの信号に基づいて、前記車両の盗難が発生しているか否かを判断する第１の判断手段と、該第１の判断手段により前記車両の盗難が発生していると判断された場合に、予め設定された盗難車両の早期発見を実現する地点の付近に設置された送信機から局所的に送信される車両制御コードを受信したか否かを判断する第２の判断手段と、該第２の判断手段により前記車両制御コードを受信したと判断された場合、前記車両が盗難車両であることを前記車両の周囲に知らせる告知を行う制御手段とを備え、前記車両の盗難が発生していると判断された場合であっても、前記車両が前記地点の付近へ到達するまでは、前記告知を行わないようになっていることを特徴としている。
【０００９】
上記した車両盗難防止装置（２）によれば、車両盗難が発生しているときに、予め設定された盗難車両の早期発見を実現する地点の付近（例えば、警察署や、海外輸送のために盗難車両の集まる可能性の高い船着き場など）に設置された送信機から局所的に送信されてくる車両制御コードを受信すると、車両が盗難車両であることを前記車両の周囲に知らせる制御（例えば、エンジンの停止や、ランプの点滅など）が行われる。
【００１０】
例えば、前記送信機を盗難車両の集まる可能性の高い船着き場に設置しておくことによって、盗難車両が前記船着き場に入ってくると、前記盗難車両のエンジンを停止させたり、ランプを点滅させたりすることができる。
これにより、盗難車両の海外への輸送を阻止することができると共に、警察官などが盗難車両を容易に発見することができるようになるので、もし仮に車両盗難が生じたとしても、盗難車両を早期に確保することができる。
【００１１】
また、本発明に係る車両盗難防止装置（３）は、車両に装備される車両盗難防止装置において、公衆回線を介して送信されてくる、呼出識別情報を含んだ呼出信号を受信する受信手段からの信号に基づいて、予め設定された盗難発生コードを受信したか否かを判断する第１の判断手段と、該第１の判断手段により前記盗難発生コードを受信したと判断された場合に、予め設定された盗難車両の早期発見を実現する地点の付近に設置された送信機から局所的に送信される車両制御コードを受信したか否かを判断する第２の判断手段と、該第２の判断手段により前記車両制御コードを受信したと判断された場合、前記車両が盗難車両であることを前記車両の周囲に知らせる告知を行う制御手段とを備え、前記車両の盗難が発生していると判断された場合であっても、前記車両が前記地点の付近へ到達するまでは、前記告知を行わないようになっていることを特徴としている。
【００１２】
上記した車両盗難防止装置（３）によれば、公衆回線を介して送信されてくる、盗難発生コードを受信し、なおかつ予め設定された盗難車両の早期発見を実現する地点の付近（例えば、警察署や、海外輸送のために盗難車両の集まる可能性の高い船着き場など）に設置された送信機から局所的に送信されてくる車両制御コードを受信すると、車両が盗難車両であることを前記車両の周囲に知らせる制御（例えば、エンジンの停止や、ランプの点滅など）が行われる。
【００１３】
例えば、車両の所有者が車両盗難に気づき、最寄りの電話機や携帯電話などを使って前記車両に搭載された受信手段（例えば、無線個別呼出サービスを利用するための受信機、いわゆるページャ端末）へ個別的に盗難発生コードを送信することによって、盗難車両を盗難発生モードに切り替えることができる。
【００１４】
すなわち、盗難発生モードに切り替わっているときに、前記地点の付近に設置された送信機から局所的に送信されてくる前記車両制御コードを受信すると、車両が盗難車両であることを前記車両の周囲に知らせる制御が行われることとなるので、例えば、前記送信機を盗難車両の集まる可能性の高い船着き場などに設置しておくことによって、盗難車両の海外への輸送を阻止することができると共に、警察官などが盗難車両を容易に発見することができるようになるので、もし仮に車両盗難が生じたとしても、盗難車両を早期に確保することができる。
【００１５】
また、本発明に係る車両盗難防止装置（４）は、車両に装備される車両盗難防止装置において、公衆回線を介して送信されてくる、呼出識別情報を含んだ呼出信号を受信する受信手段からの信号に基づいて、予め設定された盗難発生コードを受信したか否かを判断する第１の判断手段と、該第１の判断手段により前記盗難発生コードを受信したと判断された場合に、前記車両の位置情報を検出する位置情報検出手段から得られる情報に基づいて、前記車両が予め設定された盗難車両の早期発見を実現する地点の付近に存在するか否かを判断する第２の判断手段と、該第２の判断手段により前記車両が前記地点の付近に存在すると判断された場合、前記車両が盗難車両であることを前記車両の周囲に知らせる制御を行う制御手段とを備え、前記車両の盗難が発生していると判断された場合であっても、前記車両が前記地点の付近へ到達するまでは、前記告知を行わないようになっていることを特徴としている。
【００１６】
上記した車両盗難防止装置（４）によれば、公衆回線を介して送信されてくる、盗難発生コードを受信し、なおかつ車両が予め設定された盗難車両の早期発見を実現する地点の付近（例えば、警察署の付近や、人の目につき易い場所など）に存在すると判断されると、前記車両が盗難車両であることを前記車両の周囲に知らせる制御（例えば、エンジンの停止や、ランプの点滅など）が行われる。
【００１７】
例えば、車両の所有者が車両盗難に気づき、最寄りの電話機や携帯電話などを使って前記車両に搭載された受信手段（例えば、無線個別呼出サービスを利用するための受信機、いわゆるページャ端末）へ個別的に盗難発生コードを送信することによって、盗難車両を盗難発生モードに切り替えることができる。
【００１８】
すなわち、盗難発生モードに切り替わっているときに、前記車両が前記地点の付近に存在すると判断されると、前記車両が盗難車両であることを前記車両の周囲に知らせる制御が行われることとなるので、例えば、盗難車両を警察署の付近でエンジンを停止させることによって、警察官が前記盗難車両を容易に発見することができるようになるので、もし仮に車両盗難が生じたとしても、盗難車両を早期に確保することができる。
【００１９】
また、本発明に係る車両盗難防止装置（５）は、上記車両盗難防止装置（１）〜（４）のいずれかにおいて、前記制御手段が、前記車両を停止させて、前記車両が盗難車両であることを前記車両の周囲に知らせるものであり、前記制御手段による前記車両の停止が、前記車両の位置情報に基づいて、停止させることが好ましくない場所を避けて実行されることを特徴としている。
【００２０】
ところで、盗難車両の海外への輸送を阻止したり、前記盗難車両を早期に発見し、確保するには前記盗難車両を停止させるといった方法が非常に効果的であるが、場所を選ばずに停止させてしまうと、周囲に危険が生じる虞がある。
上記した車両盗難防止装置（５）によれば、車両の走行位置情報に基づいて、停止させることが好ましくない場所を避けて前記車両を停止させることができるので、例えば、交差点の中や、急なカーブや、狭い道路などで前記車両を停止させてしまうといった事態が生じるのを回避することができる。
【００２１】
また、本発明に係る車両盗難防止装置（６）は、上記車両盗難防止装置（１）〜（５）のいずれかにおいて、前記制御手段が、前記車両を停止させて、前記車両が盗難車両であることを前記車両の周囲に知らせるものであり、前記制御手段による前記車両の停止が、前記車両の速度情報に基づいて、前記車両の速度を考慮に入れて実行されることを特徴としている。
【００２２】
例えば、車両を停止させる方法としては、フューエルポンプへの燃料供給を遮断するといった方法が挙げられるが、車速８０ｋｍ／ｈのときと、車速３０ｋｍ／ｈのときとでは燃料供給の遮断の仕方を変えた方が良く、上記した車両盗難防止装置（６）によれば、車速を考慮に入れて、前記車両を停止させるので、前記盗難車両の停止によって周囲に危険が生じるといった事態を回避することができる。
【００２３】
また、本発明に係る車両盗難防止方法（１）は、車両に装備される車両盗難防止装置における車両盗難防止方法が、車両盗難の発生を検出する盗難発生検出手段からの信号に基づいて、前記車両の盗難が発生しているか否かを判断するステップと、前記車両の盗難が発生していると判断した場合に、前記車両の位置情報を検出する位置情報検出手段から得られる情報に基づいて、前記車両が予め設定された盗難車両の早期発見を実現する地点の付近に存在するか否かを判断するステップと、前記車両が前記地点の付近に存在すると判断した場合、前記車両が盗難車両であることを前記車両の周囲に知らせる告知を行うステップとを有し、前記車両の盗難が発生していると判断した場合であっても、前記車両が前記地点の付近へ到達するまでは、前記告知を行わないことを特徴としている。
【００２４】
上記した車両盗難防止方法（１）によれば、車両盗難が発生しているときに、車両が予め設定された盗難車両の早期発見を実現する地点の付近（例えば、警察署の付近や、人の目につき易い場所など）に存在すると判断すると、前記車両が盗難車両であることを前記車両の周囲に知らせる制御（例えば、エンジンの停止や、ランプの点滅など）を行う。
例えば、警察署の付近で盗難車両のエンジンを停止させることによって、警察官が前記盗難車両を容易に発見することができるようになるので、もし仮に車両盗難が生じたとしても、盗難車両を早期に確保することができる。
【００２５】
また、本発明に係る車両盗難防止方法（２）は、車両に装備される車両盗難防止装置における車両盗難防止方法が、車両盗難の発生を検出する盗難発生検出手段からの信号に基づいて、前記車両の盗難が発生しているか否かを判断するステップと、前記車両の盗難が発生していると判断した場合に、予め設定された盗難車両の早期発見を実現する地点の付近に設置された送信機から局所的に送信される車両制御コードを受信したか否かを判断するステップと、前記車両制御コードを受信したと判断した場合、前記車両が盗難車両であることを知らせる告知を行うステップとを有し、前記車両の盗難が発生していると判断した場合であっても、前記車両が前記地点の付近へ到達するまでは、前記告知を行わないことを特徴としている。
【００２６】
上記した車両盗難防止方法（２）によれば、車両盗難が発生しているときに、予め設定された盗難車両の早期発見を実現する地点の付近（例えば、警察署や、海外輸送のために盗難車両の集まる可能性の高い船着き場など）に設置された送信機から局所的に送信されてくる車両制御コードを受信すると、車両が盗難車両であることを前記車両の周囲に知らせる制御（例えば、エンジンの停止や、ランプの点滅など）を行う。
例えば、前記送信機を盗難車両の集まる可能性の高い船着き場に設置しておくことによって、盗難車両が前記船着き場に入ってくると、前記盗難車両のエンジンを停止させたり、ランプを点滅させたりすることができる。
これにより、盗難車両の海外への輸送を阻止することができると共に、警察官などが前記盗難車両を容易に発見することができるようになるので、もし仮に車両盗難が生じたとしても、盗難車両を早期に確保することができる。
【００２７】
また、本発明に係る車両盗難防止プログラム（１）は、車両に装備される車両盗難防止装置を構成する制御装置に、車両盗難の発生を検出する盗難発生検出手段からの信号に基づいて、前記車両の盗難が発生しているか否かを判断する機能と、前記車両の盗難が発生していると判断した場合に、前記車両の位置情報を検出する位置情報検出手段から得られる情報に基づいて、前記車両が予め設定された盗難車両の早期発見を実現する地点の付近に存在するか否かを判断する機能と、前記車両が前記地点の付近に存在すると判断した場合、前記車両が盗難車両であることを前記車両の周囲に知らせる告知を行う機能とを実現させ、前記車両の盗難が発生していると判断した場合であっても、前記車両が前記地点の付近へ到達するまでは、前記告知を行わせないことを特徴としている。
【００２８】
上記した車両盗難防止プログラム（１）によれば、車両盗難が発生しているときに、車両が予め設定された盗難車両の早期発見を実現する地点の付近（例えば、警察署の付近や、人の目につき易い場所など）に存在すると判断すると、前記車両が盗難車両であることを前記車両の周囲に知らせる制御（例えば、エンジンの停止や、ランプの点滅など）を行う機能を実現させることができる。
例えば、警察署の付近で盗難車両のエンジンを停止させることによって、警察官が前記盗難車両を容易に発見することができるようになるので、もし仮に車両盗難が生じたとしても、盗難車両を早期に確保することができる。
【００２９】
また、本発明に係る車両盗難防止プログラム（２）は、車両に装備される車両盗難防止装置を構成する制御装置に、車両盗難の発生を検出する盗難発生検出手段からの信号に基づいて、前記車両の盗難が発生しているか否かを判断する機能と、前記車両の盗難が発生していると判断した場合に、予め設定された盗難車両の早期発見を実現する地点の付近に設置された送信機から局所的に送信される車両制御コードを受信したか否かを判断する機能と、前記車両制御コードを受信したと判断した場合、前記車両が盗難車両であることを前記車両の周囲に知らせる告知を行う機能とを実現させ、前記車両の盗難が発生していると判断した場合であっても、前記車両が前記地点の付近へ到達するまでは、前記告知を行わせないことを特徴としている。
【００３０】
上記した車両盗難防止プログラム（２）によれば、車両盗難が発生しているときに、予め設定された盗難車両の早期発見を実現する地点の付近（例えば、警察署や、海外輸送のために盗難車両の集まる可能性の高い船着き場など）に設置された送信機から局所的に送信されてくる車両制御コードを受信すると、車両が盗難車両であることを前記車両の周囲に知らせる制御（例えば、エンジンの停止や、ランプの点滅など）を行う機能を実現させることができる。
例えば、前記送信機を盗難車両の集まる可能性の高い船着き場に設置しておくことによって、盗難車両が前記船着き場に入ってくると、前記盗難車両のエンジンを停止させたり、ランプを点滅させたりすることができる。
これにより、盗難車両の海外への輸送を阻止することができると共に、警察官などが前記盗難車両を容易に発見することができるようになるので、もし仮に車両盗難が生じたとしても、盗難車両を早期に確保することができる。
【００３１】
【発明の実施の形態】
以下、本発明に係る車両盗難防止装置、車両盗難防止方法、及び車両盗難防止プログラムの実施の形態を図面に基づいて説明する。
【００３２】
図１は実施の形態（１）に係る車両盗難防止装置の要部を概略的に示したブロック図である。図中１は車両盗難防止装置を示しており、車両盗難防止装置１はマイコン２と、バッテリー１１が接続されてマイコン２へ電力を供給する電源回路３と、車両制御インターフェース４と、ＧＰＳ受信機１５で受信されたＧＰＳ信号を入力するためのＧＰＳインターフェース６と、ディスプレイ・コントローラ１７へ接続されるディスプレイ・インタフェース７と、車速を検出する車速検出センサ１２が接続される車速インターフェース８と、セキュリティ装置１９が接続され、盗難発生信号を取り込むためのセキュリティ・インターフェース９とを含んで構成されている。
【００３３】
ＧＰＳ受信機１５はアンテナ１６を介して人工衛星から送信されてくるＧＰＳ信号を受信するものであり、ディスプレイ・コントローラ１７はマイコン２からの指示によって、所定の画像情報をディスプレイ１８へ表示するものである。また、セキュリティ装置１９は車両への侵入者を検出する侵入者検出センサ２０により侵入者が検出されると、ブザー音発生装置２１を制御することによって、ブザー音を発生させるものであり、また盗難発生信号を外部へ出力するものである。
【００３４】
次に、実施の形態（１）に係る車両盗難防止装置１におけるマイコン２の行う処理動作〈１〉を図２に示したフローチャートに基づいて説明する。まず、車両盗難が発生したことを示すフラグｆが１であるか否かを判断し（ステップＳ１）、フラグｆが１でない、すなわち盗難発生モードに入っていないと判断すれば、セキュリティ装置１９から出力される盗難発生信号が入力されたか否かを判断する（ステップＳ２）。
【００３５】
前記盗難発生信号が入力されていないと判断すれば、そのまま処理動作〈１〉を終了し、他方、前記盗難発生信号が入力されたと判断すれば、フラグｆを１にし（ステップＳ３）、次に位置情報を示すＧＰＳ信号を取得し（ステップＳ４）、ＧＰＳ信号に基づいて、車両が予め設定された警察署の付近に存在するか否かを判断する（ステップＳ５）。
【００３６】
前記車両が前記警察署の付近に存在しないと判断すれば、そのまま処理動作〈１〉を終了し、他方、前記車両が前記警察署の付近に存在すると判断すれば、車両制御インターフェース４を介して、ハイマウント・ストップランプ及びハザードランプを点滅させ、周囲に前記車両が盗難車両であることを知らせる（ステップＳ６）。
【００３７】
次に車速ｖを取得し（ステップＳ７）、車速ｖが０であるか否かを判断し（ステップＳ８）、車速ｖが０であると判断すれば、車両制御インターフェース４を介してフューエルポンプを遮断し、燃料供給をストップさせる（ステップＳ９）。一方、車速ｖが０でないと判断すれば、「この車両は盗難車両です。間もなく停止します」といったメッセージをディスプレイ１８へ表示させるように、ディスプレイ・インターフェース７を介してディスプレイ・コントローラ１７を制御し（ステップＳ１０）、次に車速ｖに応じて、車両制御インターフェース４を介してフューエルポンプを段階的に遮断する（ステップＳ１１）。
【００３８】
例えば、車速が８０ｋｍ／ｈ以上である場合にはフューエルポンプへの燃料供給時間５秒に対し、遮断時間を１秒として徐々に速度を落とさせ、車速が６０ｋｍ／ｈ以下になると燃料供給時間２秒に対し、遮断時間を４秒とし、車速が４０ｋｍ／ｈ以下になると燃料供給時間１秒に対し、遮断時間を１０秒とし、そして車速が２０ｋｍ／ｈ以下になると燃料供給を完全に遮断する。
ところでステップＳ１において、フラグｆが１である、すなわち盗難発生モードへ既に入っていると判断すれば、ステップＳ２、Ｓ３を飛ばしてステップＳ４へ進む。
【００３９】
上記実施の形態（１）に係る車両盗難防止装置によれば、車両盗難が発生しているとき（すなわち盗難発生モードへ入っているとき）に、車両が警察署の付近に存在すると判断されると、前記車両に対してエンジンの停止やランプの点滅などが行われ、警察官が盗難車両を容易に発見することができるようになるので、もし仮に車両盗難が生じたとしても、盗難車両を早期に確保することができる。
【００４０】
図３は実施の形態（２）に係る車両盗難防止装置を含んで構成される車両盗難防止システムの要部を概略的に示したブロック図であり、車両盗難防止システムは車両盗難防止装置１Ａと、海外へ輸送される可能性の高い船着き場に設置されるワイヤレス送信装置３１とを含んで構成されている。なお、図１に示した車両盗難防止装置と同様の構成部分については同符号を付し、ここではその説明を省略する。
【００４１】
車両盗難防止装置１Ａはマイコン２Ａと、バッテリー１１が接続されてマイコン２Ａへ電力を供給する電源回路３と、車両制御インターフェース４と、ディスプレイ・インタフェース７と、車速インターフェース８と、セキュリティ・インターフェース９と、ワイヤレス受信機２２で受信された信号を入力するためのワイヤレス・インターフェース１０とを含んで構成されている。
ワイヤレス受信機２２はアンテナ２３を介して、ワイヤレス送信装置３１から局所的に（例えば、半径５０ｍの範囲に届く程度の電力強度で）送信されてくる車両制御コードを含んだ信号を受信するものである。
【００４２】
次に、実施の形態（２）に係る車両盗難防止装置１Ａにおけるマイコン２Ａの行う処理動作〈２〉を図４に示したフローチャートに基づいて説明する。まず、車両盗難が発生したことを示すフラグｆが１であるか否かを判断し（ステップＳ２１）、フラグｆが１でない、すなわち盗難発生モードに入っていないと判断すれば、セキュリティ装置１９から出力される盗難発生信号が入力されたか否かを判断する（ステップＳ２２）。
【００４３】
前記盗難発生信号が入力されていないと判断すれば、そのまま処理動作〈２〉を終了し、他方、前記盗難発生信号が入力されたと判断すれば、フラグｆを１にし（ステップＳ２３）、次にワイヤレス送信装置３１から送信されてくる車両制御コードを受信したか否かを判断する（ステップＳ２４）。
【００４４】
前記車両制御コードを受信していないと判断すれば、そのまま処理動作〈２〉を終了し、他方、前記車両制御コードを受信したと判断すれば、車両制御インターフェース４を介して、ハイマウント・ストップランプ及びハザードランプを点滅させ、周囲に前記車両が盗難車両であることを知らせる（ステップＳ２５）。
【００４５】
次に車速ｖを取得し（ステップＳ２６）、車速ｖが０であるか否かを判断し（ステップＳ２７）、車速ｖが０であると判断すれば、車両制御インターフェース４を介してフューエルポンプを遮断し、燃料供給をストップさせる（ステップＳ２８）。一方、車速ｖが０でないと判断すれば、「この車両は盗難車両です。間もなく停止します」といったメッセージをディスプレイ１８へ表示させるように、ディスプレイ・インターフェース７を介してディスプレイ・コントローラ１７を制御し（ステップＳ２９）、次に車速ｖに応じて、車両制御インターフェース４を介してフューエルポンプを段階的に遮断する（ステップＳ３０）。
またステップＳ２１において、フラグｆが１である、すなわち盗難発生モードへ既に入っていると判断すれば、ステップＳ２２、Ｓ２３を飛ばしてステップＳ２４へ進む。
【００４６】
上記実施の形態（２）に係る車両盗難防止装置によれば、車両盗難が発生しているときに（すなわち盗難発生モードに入っているときに）、海外輸送のために盗難車両の集まる可能性の高い船着き場に設置されたワイヤレス送信装置３１から局所的に送信されてくる車両制御コードを受信すると、車両に対してエンジンの停止やランプの点滅などが行われるので、盗難車両の海外への輸送を阻止することができると共に、警察官などが前記盗難車両を容易に発見することができるようになり、もし仮に車両盗難が生じたとしても、前記盗難車両を早期に確保することができる。
【００４７】
図５は実施の形態（３）に係る車両盗難防止装置を含んで構成される車両盗難防止システムの要部を概略的に示したブロック図であり、車両盗難防止システムは車両盗難防止装置１Ｂと、海外へ輸送される可能性の高い船着き場に設置されるワイヤレス送信装置３１とを含んで構成されている。なお、図１、図３に示した車両盗難防止装置と同様の構成部分については同符号を付し、ここではその説明を省略する。
【００４８】
車両盗難防止装置１Ｂはマイコン２Ｂと、バッテリー１１が接続されてマイコン２Ｂ及び後述する無線呼出受信機１３へ電力を供給する電源回路３と、車両制御インターフェース４と、無線呼出受信機１３で受信された信号を入力するための無線呼出インターフェース５と、ディスプレイ・インタフェース７と、車速インターフェース８と、ワイヤレス・インターフェース１０とを含んで構成されている。
無線呼出受信機１３はアンテナ１４を介して、公衆回線を介して送信されてくる、呼出識別情報を含んだ呼出信号を受信するものであり、いわゆるページャ端末である。
【００４９】
次に、実施の形態（３）に係る車両盗難防止装置１Ｂにおけるマイコン２Ｂの行う処理動作〈３〉を図６に示したフローチャートに基づいて説明する。まず、車両盗難が発生したことを示すフラグｆが１であるか否かを判断し（ステップＳ３１）、フラグｆが１でない、すなわち盗難発生モードに入っていないと判断すれば、無線呼出受信機１３で受信された呼出信号を取得し（ステップＳ３２）、取得した呼出信号に予め設定された盗難発生コードが含まれているか否かを判断する（ステップＳ３３）。
【００５０】
前記盗難発生コードが含まれていないと判断すれば、そのまま処理動作〈３〉を終了し、他方、前記盗難発生コードが含まれていると判断すれば、フラグｆを１にし（ステップＳ３４）、次にワイヤレス送信装置３１から送信されてくる車両制御コードを受信したか否かを判断する（ステップＳ３５）。
【００５１】
前記車両制御コードを受信していないと判断すれば、そのまま処理動作〈３〉を終了し、他方、前記車両制御コードを受信したと判断すれば、車両制御インターフェース４を介して、ハイマウント・ストップランプ及びハザードランプを点滅させ、周囲に前記車両が盗難車両であることを知らせる（ステップＳ３６）。
【００５２】
次に車速ｖを取得し（ステップＳ３７）、車速ｖが０であるか否かを判断し（ステップＳ３８）、車速ｖが０であると判断すれば、車両制御インターフェース４を介してフューエルポンプを遮断し、燃料供給をストップさせる（ステップＳ３９）。一方、車速ｖが０でないと判断すれば、「この車両は盗難車両です。間もなく停止します」といったメッセージをディスプレイ１８へ表示させるように、ディスプレイ・インターフェース７を介してディスプレイ・コントローラ１７を制御し（ステップＳ４０）、次に車速ｖに応じて、車両制御インターフェース４を介してフューエルポンプを段階的に遮断する（ステップＳ４１）。
またステップＳ３１において、フラグｆが１である、すなわち盗難発生モードへ既に入っていると判断すれば、ステップＳ３２〜Ｓ３４を飛ばしてステップＳ３５へ進む。
【００５３】
上記実施の形態（３）に係る車両盗難防止装置によれば、車両の所有者が車両盗難に気づき、最寄りの電話機や携帯電話などを使って前記車両に搭載された無線呼出受信機１３へ個別的に盗難発生コードを送信することによって、前記車両を盗難発生モードへ入らせることができる。
【００５４】
さらに、盗難発生モードに入っているときに、海外輸送のために盗難車両の集
まる可能性の高い船着き場に設置されたワイヤレス送信装置３１から局所的に送信されてくる車両制御コードを受信すると、車両に対してエンジンの停止やランプの点滅などが行われるので、盗難車両の海外への輸送を阻止することができると共に、警察官などが前記盗難車両を容易に発見することができるようになり、もし仮に車両盗難が生じたとしても、前記盗難車両を早期に確保することができる。
【００５５】
図７は実施の形態（４）に係る車両盗難防止装置の要部を概略的に示したブロック図である。なお、図１、図３、図５に示した車両盗難防止装置と同様の構成部分については同符号を付し、ここではその説明を省略する。図中１Ｃは車両盗難防止装置を示しており、車両盗難防止装置１Ｃはマイコン２Ｃと、バッテリー１１が接続されてマイコン２Ｃ及び無線呼出受信機１３へ電力を供給する電源回路３と、車両制御インターフェース４と、無線呼出受信機１３で受信された信号を入力するための無線呼出インターフェース５と、ＧＰＳインターフェース６と、ディスプレイ・インタフェース７と、車速インターフェース８とを含んで構成されている。
【００５６】
次に、実施の形態（４）に係る車両盗難防止装置におけるマイコン２Ｃの行う処理動作〈４〉を図８に示したフローチャートに基づいて説明する。まず、車両盗難が発生したことを示すフラグｆが１であるか否かを判断し（ステップＳ５１）、フラグｆが１でない、すなわち盗難発生モードに入っていないと判断すれば、無線呼出受信機１３で受信された呼出信号を取得し（ステップＳ５２）、取得した呼出信号に予め設定された盗難発生コードが含まれているか否かを判断する（ステップＳ５３）。
【００５７】
前記盗難発生コードが含まれていないと判断すれば、そのまま処理動作〈４〉を終了し、他方、前記盗難発生コードが含まれていると判断すれば、フラグｆを１にし（ステップＳ５４）、次に位置情報を示すＧＰＳ信号を取得し（ステップＳ５５）、ＧＰＳ信号に基づいて、車両が予め設定された警察署の付近に存在するか否かを判断する（ステップＳ５６）。
【００５８】
前記車両が前記警察署の付近に存在しないと判断すれば、そのまま処理動作〈４〉を終了し、他方、前記車両が前記警察署の付近に存在すると判断すれば、車両制御インターフェース４を介して、ハイマウント・ストップランプ及びハザードランプを点滅させ、周囲に前記車両が盗難車両であることを知らせる（ステップＳ５７）。
【００５９】
次に車速ｖを取得し（ステップＳ５８）、車速ｖが０であるか否かを判断し（ステップＳ５９）、車速ｖが０であると判断すれば、車両制御インターフェース４を介してフューエルポンプを遮断し、燃料供給をストップさせる（ステップＳ６０）。一方、車速ｖが０でないと判断すれば、「この車両は盗難車両です。間もなく停止します」といったメッセージをディスプレイ１８へ表示させるように、ディスプレイ・インターフェース７を介してディスプレイ・コントローラ１７を制御し（ステップＳ６１）、次に車速ｖに応じて、車両制御インターフェース４を介してフューエルポンプを段階的に遮断する（ステップＳ６２）。
またステップＳ５１において、フラグｆが１である、すなわち盗難発生モードへ既に入っていると判断すれば、ステップＳ５２〜Ｓ５４を飛ばしてステップＳ５５へ進む。
【００６０】
上記実施の形態（４）に係る車両盗難防止装置によれば、車両の所有者が車両盗難に気づき、最寄りの電話機や携帯電話などを使って前記車両に搭載された無線呼出受信機１３へ個別的に盗難発生コードを送信することによって、前記車両を盗難発生モードへ入らせることができる。
さらに、盗難発生モードへ入っているときに、車両が警察署の付近に存在すると判断されると、前記車両に対してエンジンの停止やランプの点滅などが行われ、警察官が盗難車両を容易に発見することができるようになるので、もし仮に車両盗難が生じたとしても、前記盗難車両を早期に確保することができる。
【００６１】
ところで、公衆回線を介して送信されてくる、呼出識別情報を含んだ呼出信号を受信することのできるサービスエリアは、サービス会社との契約などによって予め決められており、例えば、前記呼出信号を受信する無線呼出受信機１３を搭載した車両が、予め決められたサービスエリアから外れてしまうと、無線呼出受信機１３宛に送られている信号を無線呼出受信機１３で受信することができなくなる。
【００６２】
というのは、無線呼出受信機１３宛に送られる信号は、予め決められたサービスエリア（例えば、兵庫県）だけで送信されるものであって、他のサービスエリアでは送信されず、また、各サービスエリアは使用周波数で分割されているからである。
【００６３】
従って、もし仮に、盗難発生コードのような緊急事態を示すコードについて、サービスエリアの垣根を越えて、広い範囲（例えば、全国のサービスエリア）にに送信するようにしたとしても、無線呼出受信機１３での受信周波数を合わさなければ、前記盗難発生コードを受信することができず、盗難車両を盗難発生モードへ切り替えることができない。
【００６４】
そこで、別の実施の形態に係る車両盗難防止装置では、ＧＰＳ受信機１５からの信号に基づいて、前記呼出信号を受けるサービスエリアを選択したり、又は無線呼出受信機１３における受信状態に基づいて、前記呼出信号を受けるサービスエリアを選択し、これら選択に基づいて、前記サービスエリアの切り替え（例えば、受信周波数の切り替え）を自動的に行うようにしても良い。
【００６５】
これにより、前記車両が予め決められたサービスエリアから外れ、他のサービスエリアへ移ったとしても、前記他のサービスエリアで届く信号については受信することができる。
【００６６】
従って、前記盗難発生コードといった緊急事態を示すコードが、サービスエリアの垣根を越えて、広い範囲（例えば、全国のサービスエリア）に送信されるようになれば、前記車両が予め決められたサービスエリアから外れたとしても、前記盗難発生コードを受信して、盗難車両を盗難発生モードへ切り替えることができる。
【００６７】
また、上記実施の形態（３）又は（４）に係る車両盗難防止装置では、車両の所有者が公衆回線を介して送信する盗難発生コードを前記車両の所有者が自由に設定できるようにはなっていないが、別の実施の形態に係る車両盗難防止装置では、車両盗難防止装置１Ｂ、１ＣにＥＥＰＲＯＭなどの不揮発性記憶装置を装備し、車両の所有者の希望するコードを前記盗難発生コードとして、前記不揮発性記憶装置へ書き込むことができるように構成しても良い。これにより、車両盗難といった非常事態の場合にも、前記車両の所有者が前記盗難発生コードを思い出すことができないといったことが生じるのを回避することができる。
【００６８】
また、さらに別の実施の形態に係る車両盗難防止装置では、公衆回線を介して送信されてくる、予め設定された故障診断コード（もちろん、盗難発生コードとは別のコード）を無線呼出受信機１３が受信すると、車両盗難防止装置１Ｂ、１Ｃの故障診断を行うようにし、その故障診断結果に基づいて、ハイマウント・ストップランプやハザードランプを点滅させるようにしても良い。これによりメンテナンスの際、車両盗難防止装置１Ｂ、１Ｃを車両から取り外さなくても、車両盗難防止装置１Ｂ、１Ｃの状態の確認を行うことができる。
【００６９】
また、上記実施の形態（１）〜（４）に係る車両盗難防止装置では、盗難発生モードへ入っているときに、車両が警察署の付近に存在すると判断されたり、ワイヤレス送信装置３１から局所的に送信されてくる前記車両制御コードを受信すると、前記車両に対して所定の制御を行うようになっているが、別の実施の形態に係る車両盗難防止装置では、無線呼出受信機１３における受信状態を検知することができるようにして、該受信状態が著しく低下した場合（すなわち、前記車両がサービスエリアから外れた場合）に、前記車両に対して前記所定の制御を行うようにしても良い。
【００７０】
例えば、盗難車両が前記サービスエリアから外れると、前記盗難車両のエンジンを停止させることによって、前記盗難車両が遠方まで運ばれるのを阻止することができるので、もし仮に車両盗難が生じたとしても、前記盗難車両を早期に確保することができる。
【００７１】
なお、無線呼出受信機１３における受信状態が著しく低下したか否かの判断については、予め決められたサービスエリア内であったとしても、例えば、トンネル内の移動のために、無線呼出受信機１３における受信状態が低下する場合があるので、該受信状態が所定の期間継続して、所定のレベル以下であるか否かといったことを判断基準とするのが望ましい。
【００７２】
図９は実施の形態（５）に係る車両盗難防止装置を含んで構成される車両盗難防止システムの要部を概略的に示したブロック図であり、車両盗難防止システムは車両盗難防止装置１Ｄと、海外へ輸送される可能性の高い船着き場に設置されるワイヤレス送信装置３２とを含んで構成されている。なお、図１、図３、図５に示した車両盗難防止装置と同様の構成部分については同符号を付し、ここではその説明を省略する。
【００７３】
車両盗難防止装置１Ｄはマイコン２Ｄと、バッテリー１１が接続されてマイコン２Ｄへ電力を供給する電源回路３と、車両制御インターフェース４と、ディスプレイ・インタフェース７と、車速インターフェース８と、ワイヤレス・インターフェース１０と、車両毎に設定される車両特有コードを記憶したＥＥＰＲＯＭ２４とを含んで構成されている。
ワイヤレス受信機２２はアンテナ２３を介して、ワイヤレス送信装置３２から局所的に（例えば、半径５０ｍの範囲に届く程度の電力強度で）送信されてくる車両特有コードを含んだ信号を受信するものである。
【００７４】
図１０は前記車両盗難防止システムを構成するワイヤレス送信装置の要部を概略的に示したブロック図である。図中４１は盗難防止センターを示しており、盗難防止センター４１は予め契約された車両の所有者から車両盗難に遭ったとの連絡を電話機４２などを通じて受けると、前記車両に設定された車両特有コードを含んだ信号をワイヤレス送信装置３２へ送信するようになっている。
【００７５】
ワイヤレス送信装置３２はマイコン３３と、車両特有コードを記憶するメモリ３４と、盗難防止センター４１から送信されてくる車両特有コードを含んだ信号を受信するためのアンテナ３５及び受信機３６と、メモリ３４に記憶されている車両特有コードを含んだ信号を局所的に送信するための送信機３７及びアンテナ３８とを含んで構成されている。
【００７６】
次に、実施の形態（５）に係る車両盗難防止装置を含んで構成される前記車両盗難防止システムのワイヤレス送信装置３２におけるマイコン３３の行う処理動作〈５〉を図１１に示したフローチャートに基づいて説明する。まず、盗難防止センター４１から送信されてくる車両特有コードを受信したか否かを判断し（ステップＳ７１）、前記車両特有コードを受信したと判断すれば、受信した前記車両特有コードをメモリ３４へ記憶させて（ステップＳ７２）、ステップＳ７３へ進む。
一方、前記車両特有コードを受信していないと判断すれば、ステップＳ７２を飛ばしてステップＳ７３へ進む。
【００７７】
ステップＳ７３ではタイマｔが時間ｔ’（例えば、５秒）以上であるか否かを判断し、タイマｔが時間ｔ’以上であると判断すれば、メモリ３４に記憶されている前記車両特有コードを送信機３７及びアンテナ３８を通じて局所的に送信し（ステップＳ７４）、その後、タイマｔをリセットする（ステップＳ７５）。一方、タイマｔが時間ｔ’以上でないと判断すれば、そのまま処理動作〈５〉を終了する。
【００７８】
次に、実施の形態（５）に係る車両盗難防止装置１Ｄにおけるマイコン２Ｄの行う処理動作〈６〉を図１２に示したフローチャートに基づいて説明する。まず、ワイヤレス送信装置３２から送信されてくる車両特有コードを受信したか否かを判断し（ステップＳ８１）、前記車両特有コードを受信したと判断すれば、受信した車両特有コードがＥＥＰＲＯＭ２４に記憶されている車両特有コードと一致するか否かを判断する（ステップＳ８２）。
【００７９】
これら車両特有コードが一致すると判断すれば、当該車両は盗難車両であると看做し、車両制御インターフェース４を介して、ハイマウント・ストップランプ及びハザードランプを点滅させ、周囲に前記車両が盗難車両であることを知らせる（ステップＳ８３）。
【００８０】
次に車速ｖを取得し（ステップＳ８４）、車速ｖが０であるか否かを判断し（ステップＳ８５）、車速ｖが０であると判断すれば、車両制御インターフェース４を介してフューエルポンプを遮断し、燃料供給をストップさせる（ステップＳ８６）。一方、車速ｖが０でないと判断すれば、「この車両は盗難車両です。間もなく停止します」といったメッセージをディスプレイ１８へ表示させるように、ディスプレイ・インターフェース７を介してディスプレイ・コントローラ１７を制御し（ステップＳ８７）、次に車速ｖに応じて、車両制御インターフェース４を介してフューエルポンプを段階的に遮断する（ステップＳ８８）。
【００８１】
またステップＳ８１において、ワイヤレス送信装置３２から送信されてくる車両特有コードを受信していないと判断したり、ステップＳ８２において、車両特有コードが一致していないと判断すれば、前記車両は盗難車両ではないと看做し、そのまま処理動作〈６〉を終了する。
【００８２】
上記実施の形態（５）に係る車両盗難防止装置によれば、車両の所有者が車両盗難に気づき、最寄りの電話機４２や携帯電話などを使って盗難防止センター４１へ電話を入れ、前記車両が盗難された旨を伝えると、盗難防止センター４１から前記車両に設定されている車両特有コードがワイヤレス送信装置３２へ送信され、ワイヤレス送信装置３２から前記車両特有コードが局所的に送信されるので、盗難車両がワイヤレス送信装置３２が設置されている船着き場へ入ってくると、前記盗難車両のエンジンを停止させたり、ランプを点滅させたりすることができる。
これにより、前記盗難車両の海外への輸送を阻止することができると共に、警察官などが前記盗難車両を容易に発見することができるようになるので、もし仮に車両盗難が生じたとしても、前記盗難車両を早期に確保することができる。
【００８３】
なお、上記実施の形態（１）〜（５）のいずれかに係る車両盗難防止装置では、盗難車両を停止させる場合に、該盗難車両の車速を考慮に入れて停止させているが、別の実施の形態に係る車両盗難防止装置では、ナビゲーション装置で算出される前記盗難車両の走行位置情報を取り込むようにして、所望の位置で前記盗難車両を停止させるようにしても良い。これにより、交差点の中や、急なカーブや、狭い道路などで前記盗難車両を停止させてしまうといった事態が生じるのを回避することができる。
【００８４】
また、さらに別の実施の形態に係る車両盗難防止装置では、盗難発生モードへ入った後、入手すべき信号（例えば、ＧＰＳ受信機１５やワイヤレス受信機２２からの信号）が正常に入手されているか否かを確認するようにし、これら信号が正常に入手されていないと判断すれば、盗難者によってこれら受信機が破壊されたと看做して、直ちにフューエルポンプを遮断させる制御を行うようにしても良い。また、車速センサ１２からの信号が入手できない場合には、ＧＰＳ信号から車速を求めるようにしても良い。
なお、これら信号が正常に入手されているか否かの判断については、例えば、ＧＰＳ信号の入力が途絶えてから、所定の時間が経過したか否かを判断するようにすれば良い。
【００８５】
図１３は実施の形態（６）に係る車両盗難防止装置の要部を概略的に示したブロック図である。なお、図１、図３、図５に示した車両盗難防止装置と同様の構成部分については同符号を付し、ここではその説明を省略する。
【００８６】
図中１Ｅは車両盗難防止装置を示しており、車両盗難防止装置１Ｅはプログラム及びデータの書き換えが可能なマイコン２Ｅと、マイコン２Ｅへ電力を供給する電源回路３と、車両制御インターフェース４と、無線呼出受信機１３（図５）で受信された信号を入力するための無線呼出インターフェース５と、ＧＰＳ受信機１５（図１）で受信されるＧＰＳ信号を入力するためのＧＰＳインターフェース６と、ディスプレイ・コントローラ１７（図１）へ接続されるディスプレイ・インタフェース７と、車速を検出する車速検出センサ１２（図１）へ接続される車速インターフェース８と、セキュリティ装置１９（図１）からの盗難発生信号を取り込むためのセキュリティ・インターフェース９と、ワイヤレス受信機２２（図３）で受信された信号を入力するためのワイヤレス・インターフェース１０とを含んで構成されている。
【００８７】
上記実施の形態（６）に係る車両盗難防止装置によれば、電源回路３を車両に装備されているバッテリー１１（図１）へ接続し、車両制御インターフェース４をフューエルポンプ、ハイマウント・ストップランプ、及びハザードランプそれぞれの制御ラインへ接続し、ＧＰＳインターフェース６をＧＰＳ受信機１５へ接続し、ディスプレイ・インターフェース７をディスプレイ・コントローラ１７へ接続し、車速インターフェース８を車速センサ１２へ接続し、セキュリティ・インターフェース９をセキュリティ装置１９へ接続し、さらにマイコン２Ｅへ図２に示した処理動作を実現するプログラムを書き込むことによって、上記実施の形態（１）に係る車両盗難防止装置を実現することができる。
【００８８】
また、上記同様に各インターフェースを車両に装備されている各種機器と接続させ、マイコン２Ｅに所望のプログラムを書き込むことによって、上記実施の形態（２）〜（５）のいずれかに係る車両盗難防止装置、又はこれらを組み合わせた車両盗難防止装置を実現することができる。
従って、汎用性のある車両盗難防止装置を実現することができるので、コストの削減を図することができ、さらにはユーザーの希望に細かく応じることができる。
【図面の簡単な説明】
【図１】  本発明の実施の形態（１）に係る車両盗難防止装置の要部を概略的に示したブロック図である。
【図２】  実施の形態（１）に係る車両盗難防止装置におけるマイコンの行う処理動作を示したフローチャートである。
【図３】  実施の形態（２）に係る車両盗難防止装置を含んで構成される車両盗難防止システムの要部を概略的に示したブロック図である。
【図４】  実施の形態（２）に係る車両盗難防止装置におけるマイコンの行う処理動作を示したフローチャートである。
【図５】  実施の形態（３）に係る車両盗難防止装置を含んで構成される車両盗難防止システムの要部を概略的に示したブロック図である。
【図６】  実施の形態（３）に係る車両盗難防止装置におけるマイコンの行う処理動作を示したフローチャートである。
【図７】  実施の形態（４）に係る車両盗難防止装置の要部を概略的に示したブロック図である。
【図８】  実施の形態（４）に係る車両盗難防止装置におけるマイコンの行う処理動作を示したフローチャートである。
【図９】  実施の形態（５）に係る車両盗難防止装置を含んで構成される車両盗難防止システムの要部を概略的に示したブロック図である。
【図１０】  図９に示した車両盗難防止システムを構成するワイヤレス送信装置の要部を概略的に示したブロック図である。
【図１１】  図１０に示したワイヤレス送信装置におけるマイコンの行う処理動作を示したフローチャートである。
【図１２】  実施の形態（５）に係る車両盗難防止装置におけるマイコンの行う処理動作を示したフローチャートである。
【図１３】  実施の形態（６）に係る車両盗難防止装置の要部を概略的に示したブロック図である。
【符号の説明】
１、１Ａ〜１Ｅ  車両盗難防止装置
２、２Ａ〜２Ｅ、３３  マイコン
５  無線呼出インターフェース
６  ＧＰＳインターフェース
８  車速インターフェース
９  セキュリティ・インターフェース
１０  ワイヤレス・インターフェース
２４  ＥＥＰＲＯＭ
３１、３２  ワイヤレス送信装置
３４  メモリ
【図１】
0004338343.tif 000002
【図２】
0004338343.tif 000003
【図３】
0004338343.tif 000004
【図４】
0004338343.tif 000005
【図５】
0004338343.tif 000006
【図６】
0004338343.tif 000007
【図７】
0004338343.tif 000008
【図８】
0004338343.tif 000009
【図９】
0004338343.tif 000010
【図１０】
0004338343.tif 000011
【図１１】
0004338343.tif 000012
【図１２】
0004338343.tif 000013
【図１３】
0004338343.tif 000014